(57)【要約】【課題】ＩＳＲが適用されている移動通信システムにおいて、第１通信方式の交換局配下のエリア或いは第２通信方式の交換局配下のエリアを跨ぐ移動を行わない場合であっても、第１通信方式の交換局及び第２通信方式の交換局によって管理される移動局の位置登録エリアの間に生じた不一致を解消する。【解決手段】本発明に係る移動局ＵＥにおいて、位置登録処理部１３は、第１位置登録エリアＴＡ＃２及び第２位置登録エリアＬＡ＃１/ＲＡ＃１が管理されている場合で、かつ、待ち受けを行うエリアを第１位置登録エリアＴＡ＃２に切り替える場合に、位置登録要否情報によって第１位置登録エリアＴＡ＃２に対する位置登録処理を行う必要が無いと示されている場合であっても、第２位置登録エリアＬＡ＃１/ＲＡ＃１が所定条件を満たしている場合には、第１位置登録エリアＴＡ＃２に対する位置登録処理を行う。【選択図】図２
2010093455.tif 000002
【特許請求の範囲】
【請求項１】
第１通信方式の交換局配下の第１エリア及び第２通信方式の交換局配下の第２エリアに対する位置登録処理を行うことができる移動局であって、
前記第１エリア内の位置登録エリアである第１位置登録エリア及び前記第２エリア内の位置登録エリアである第２位置登録エリアを管理するように構成されている位置登録エリア管理部と、
前記第１位置登録エリアが管理されている場合で、かつ、待ち受けを行うエリアを該第１位置登録エリアに切り替える場合に、該第１位置登録エリアに対する位置登録処理を行う必要があるか否かについて示す位置登録要否情報を管理するように構成されている位置登録要否情報管理部と、
前記第１位置登録エリアが管理されている場合で、かつ、待ち受けを行うエリアを該第１位置登録エリアに切り替える場合に、前記位置登録要否情報に基づいて、該第１位置登録エリアに対する位置登録処理を行うか否かについて決定するように構成されている位置登録処理部とを具備し、
前記位置登録処理部は、前記第１位置登録エリアが管理されている場合で、かつ、待ち受けを行うエリアを該第１位置登録エリアに切り替える場合に、前記位置登録要否情報によって該第１位置登録エリアに対する位置登録処理を行う必要が無いと示されている場合であっても、前記第２位置登録エリアが所定条件を満たしている場合には、該第１位置登録エリアに対する位置登録処理を行うように構成されていることを特徴とする移動局。
【請求項２】
前記第２通信方式の交換局配下の第２エリアは、該第２通信方式の回線交換用交換局配下の第２回線交換用エリア及び該第２通信方式のパケット交換用交換局配下の第２パケット交換用エリアを含み、
前記位置登録処理部は、待ち受けを行うエリアが該第１位置登録エリアから該第２位置登録エリアに切り替わった際に、前記第２位置登録エリアのうち、前記第２回線交換用エリア内の位置登録エリアが変更になり、前記第２パケット交換用エリア内の位置登録エリアが変更にならなかった場合に、該第２位置登録エリアが前記所定条件を満たしていると判定するように構成されていることを特徴とする請求項１に記載の移動局。
【発明の詳細な説明】
【技術分野】
【０００１】
本発明は、第１通信方式（ＬＴＥ方式）の交換局配下の第１エリア及び第２通信方式（ＷＣＤＭＡ方式）の交換局配下の第２エリアに対する位置登録処理を行うことができる移動局に関する。
【背景技術】
【０００２】
３ＧＰＰで規定されている「Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＥＰＣ（Ｅｖｏｌｖｅｄ  Ｐａｃｋｅｔ  Ｃｏｒｅ）」方式の移動通信システムでは、無駄な位置登録信号の送信を低減するために、「ＩＳＲ（Ｉｄｌｅ  ｓｔａｔｅ  Ｓｉｇｎａｌｉｎｇ  Ｒｅｄｕｃｔｉｏｎ）」と呼ばれる技術が適用可能である。
【０００３】
図１４を参照して、ＩＳＲが適用されている移動通信システムの動作の一例について説明する。
【０００４】
図１４に示すように、ステップＳ１０１において、移動局ＵＥは、ＷＣＤＭＡ方式の交換局ＳＧＳＮ配下のエリアＲＡ＃１において、交換局ＳＧＳＮに対して、位置登録信号である「ＲＡＵ（Ｒｏｕｔｉｎｇ  Ａｒｅａ  Ｕｐｄａｔｅ）」を送信することによって、エリアＲＡ＃１に対する位置登録処理を行う。
【０００５】
かかる「ＲＡＵ」には、移動局ＵＥがＩＳＲに対応可能であることを示す「ＩＳＲ  ｓｙｎｃ」や「Ｐ-ＴＭＳＩ（Ｐａｃｋｅｔ  Ｔｅｍｐｏｒａｒｙ  Ｍｏｂｉｌｅ  Ｓｕｂｓｃｒｂｅｒ  Ｉｄｅｎｔｉｔｙ）」や「Ｓ-ＴＭＳＩ（ＳＡＥ  Ｔｅｍｐｏｒａｒｙ  Ｍｏｂｉｌｅ  Ｓｕｂｓｃｒｂｅｒ  Ｉｄｅｎｔｉｔｙ）」等が含まれる。
【０００６】
ＷＣＤＭＡ方式の交換局ＳＧＳＮは、ステップＳ１０２において、かかる位置登録処理結果を、加入者情報管理サーバＨＳＳ（Ｈｏｍｅ  Ｓｕｂｓｃｒｉｂｅｒ  Ｓｅｒｖｅｒ）に通知すると共に、ステップＳ１０３において、移動局ＵＥに対して、「ＲＡＵ」に対する応答信号である「ＲＡＵ  Ａｃｃｅｐｔ」を送信する。
【０００７】
かかる「ＲＡＵ  Ａｃｃｅｐｔ」には、「Ｐ-ＴＭＳＩ」や、エリアＲＡ＃１においてＩＳＲが適用されていることを示す「ＩＳＲ  ａｃｔｉｖｅ」が含まれている。
【０００８】
ここで、交換局ＳＧＳＮ及び移動局ＵＥにおいて、移動局ＵＥに関する交換局ＳＧＳＮ配下のエリアＲＡ内の位置登録エリアＲＡ＃１を特定する情報を含む「ＧＭＭ  ｃｏｎｔｅｘｔ」が生成されて記憶される。
【０００９】
その後、移動局ＵＥは、ＬＴＥ（Ｌｏｎｇ  Ｔｅｒｍ  Ｅｖｏｌｕｔｉｏｎ）方式の交換局ＭＭＥ配下のエリアＴＡ＃１内に移動し、ＬＴＥ方式の交換局ＭＭＥに対して、位置登録信号である「ＴＡＵ（Ｔｒａｃｋｉｎｇ  Ａｒｅａ  Ｕｐｄａｔｅ）」を送信することによって、エリアＴＡ＃１に対する位置登録処理を行う。かかる「ＴＡＵ」には、「Ｐ-ＴＭＳＩ」や「Ｓ-ＴＭＳＩ」等が含まれる。
【００１０】
ＬＴＥ方式の交換局ＭＭＥは、ステップＳ１１１において、かかる位置登録処理結果を、加入者情報管理サーバＨＳＳに通知すると共に、ステップＳ１１２において、移動局ＵＥに対して、「ＴＡＵ」に対する応答信号である「ＴＡＵ  Ａｃｃｅｐｔ」を送信する。
【００１１】
かかる「ＴＡＵ  Ａｃｃｅｐｔ」には、エリアＴＡ＃１及びＴＡ＃２が属する「ＴＡリスト＃１」や、ＴＡリスト＃１に属するエリアＴＡ＃１においてＩＳＲが適用されていることを示す「ＩＳＲ  ａｃｔｉｖｅ」が含まれている。
【００１２】
ここで、交換局ＭＭＥ及び移動局ＵＥにおいて、移動局ＵＥに関する交換局ＭＭＥ配下のエリアＴＡ内の位置登録エリアＴＡ＃１が属するＴＡリスト＃１を含む「ＥＭＭ  ｃｏｎｔｅｘｔ」が生成されて記憶される。
【００１３】
その後、ステップＳ１２０において、移動局ＵＥは、ＷＣＤＭＡ方式の交換局ＳＧＳＮ配下のエリアＲＡ＃１内に移動した場合、位置登録エリアＲＡ＃１を含む「ＧＭＭ  ｃｏｎｔｅｘｔ」が記憶されており、「ＩＳＲ  ａｃｔｉｖｅ」に基づいてエリアＲＡ＃１においてＩＳＲが適用されていることが分かっているため、交換局ＳＧＳＮに対して「ＲＡＵ」を送信する必要は無いと判断する。
【００１４】
同様に、その後、ステップＳ１３０において、移動局ＵＥは、ＬＴＥ方式の交換局ＭＭＥ配下のエリアＴＡ＃２内に移動した場合、位置登録エリアＴＡ＃２が属する「ＴＡリスト＃１」を含む「ＥＭＭ  ｃｏｎｔｅｘｔ」が記憶されており、「ＩＳＲ  ａｃｔｉｖｅ」に基づいてＴＡリスト＃１に属するエリアＴＡ＃２においてＩＳＲが適用されていることが分かっているため、交換局ＭＭＥに対して「ＴＡＵ」を送信する必要は無いと判断する。
【非特許文献１】３ＧＰＰ  ＴＳ２３.４０１
【発明の開示】
【発明が解決しようとする課題】
【００１５】
しかしながら、従来のＩＳＲが適用されている移動通信システムでは、第１通信方式（例えば、ＬＴＥ方式）の交換局（例えば、交換局ＭＭＥ）によって管理されている移動局ＵＥの位置登録エリア（例えば、位置登録エリアＬＡ＃２）と、第２通信方式（例えば、ＷＣＤＭＡ方式）の交換局（例えば、交換局ＳＧＳＮ）によって管理されている移動局ＵＥの位置登録エリア（例えば、位置登録エリアＬＡ＃１）との間に不一致が生じている場合であっても、移動局ＵＥは、第１通信方式の交換局配下のエリア（例えば、エリアＴＡ）間或いは第２通信方式の交換局配下のエリア（例えば、エリアＲＡ）間を跨ぐ移動を行わない限り、第１通信方式の交換局配下のエリア或いは第２通信方式の交換局配下のエリアに対する位置登録処理を行うことができず、かかる不一致を解消することが出来ないという問題点があった。
【００１６】
そこで、本発明は、上述の課題に鑑みてなされたものであり、ＩＳＲが適用されている移動通信システムにおいて、第１通信方式の交換局配下のエリア間或いは第２通信方式の交換局配下のエリア間を跨ぐ移動を行わない場合であっても、第１通信方式の交換局及び第２通信方式の交換局によって管理される移動局の位置登録エリアの間に生じた不一致を解消することができる移動局を提供することを目的とする。
【課題を解決するための手段】
【００１７】
本発明の第１の特徴は、第１通信方式の交換局配下の第１エリア及び第２通信方式の交換局配下の第２エリアに対する位置登録処理を行うことができる移動局であって、前記第１エリア内の位置登録エリアである第１位置登録エリア及び前記第２エリア内の位置登録エリアである第２位置登録エリアを管理するように構成されている位置登録エリア管理部と、前記第１位置登録エリアが管理されている場合で、かつ、待ち受けを行うエリアを該第１位置登録エリアに切り替える場合に、該第１エリアに対する位置登録処理を行う必要があるか否かについて示す位置登録要否情報を管理するように構成されている位置登録要否情報管理部と、前記第１位置登録エリアが管理されている場合で、かつ、待ち受けを行うエリアを該第１位置登録エリアに切り替える場合に、前記位置登録要否情報に基づいて、該第１位置登録エリアに対する位置登録処理を行うか否かについて決定するように構成されている位置登録処理部とを具備し、前記位置登録処理部は、前記第１位置登録エリアが管理されている場合で、かつ、待ち受けを行うエリアを該第１位置登録エリアに切り替える場合に、前記位置登録要否情報によって該第１位置登録エリアに対する位置登録処理を行う必要が無いと示されている場合であっても、前記第２位置登録エリアが所定条件を満たしている場合には、該第１位置登録エリアに対する位置登録処理を行うように構成されていることを要旨とする。
【００１８】
本発明の第１の特徴において、前記第２通信方式の交換局配下の第２エリアは、該第２通信方式の回線交換用交換局配下の第２回線交換用エリア及び該第２通信方式のパケット交換用交換局配下の第２パケット交換用エリアを含み、前記位置登録処理部は、待ち受けを行うエリアが該第１位置登録エリアから該第２位置登録エリアに切り替わった際に、前記第２位置登録エリアのうち、前記第２回線交換用エリア内の位置登録エリアが変更になり、前記第２パケット交換用エリア内の位置登録エリアが変更にならなかった場合に、該第２位置登録エリアが前記所定条件を満たしていると判定するように構成されていてもよい。
【発明の効果】
【００１９】
以上説明したように、本発明によれば、ＩＳＲが適用されている移動通信システムにおいて、第１通信方式の交換局配下のエリア間或いは第２通信方式の交換局配下のエリア間を跨ぐ移動を行わない場合であっても、第１通信方式の交換局及び第２通信方式の交換局によって管理される移動局の位置登録エリアの間に生じた不一致を解消することができる移動局を提供することができる。
【発明を実施するための最良の形態】
【００２０】
（本発明の第１の実施形態に係る移動通信システムの構成）
図１及び図２を参照して、本発明の第１の実施形態に係る移動通信システムの構成について説明する。
【００２１】
図１に示すように、本実施形態に係る移動通信システムは、上述のＩＳＲが適用されている移動通信システムであって、加入者情報管理サーバＨＳＳと、ＬＴＥ方式の交換局（第１通信方式の交換局）ＭＭＥ＃１と、ＷＣＤＭＡ方式の交換局（第２通信方式の交換局）ＳＧＳＮ＃１と、ＷＣＤＭＡ方式の交換局（第２通信方式の交換局）ＭＳＣ＃１、ＭＳＣ＃２とを具備している。
【００２２】
なお、説明の便宜上、本明細書では、「ＬＴＥ方式」を「第１通信方式」とし、「ＷＣＤＭＡ方式」を「第２通信方式」としたケースについて説明するが、本発明は、かかるケースに限定されるものではない。
【００２３】
例えば、本発明は、「ＷＣＤＭＡ方式」を「第１通信方式」とし、「ＬＴＥ方式」を「第２通信方式」としたケースにも適用可能であるし、「第１通信方式」及び「第２通信方式」を、その他の通信方式としてケースについても適用可能である。
【００２４】
また、本実施形態に係る移動通信システムでは、ＬＴＥ方式の交換局配下のエリアＴＡ＃２が、ＷＣＤＭＡ方式の交換局ＭＳＣ/ＳＧＳＮ配下のエリアＬＡ＃１/ＲＡ＃１とエリアＬＡ＃２/ＲＡ＃２とに跨って配置されているものとする。
【００２５】
また、本実施形態に係る移動通信システムでは、「３ＧＰＰ  ＴＳ２３.２７２」等に規定されている「ＣＳ-Ｆａｌｌｂａｃｋ」が適用されているものとする。
【００２６】
「ＣＳ-Ｆａｌｌｂａｃｋ」が適用されている移動通信システムは、移動局ＵＥが、ＣＳ（Ｃｉｒｃｕｉｔ  Ｓｗｉｔｃｈ、回線交換）サービスを提供していないＬＴＥ方式の交換局ＭＭＥ配下のエリアＴＡで待ち受けを行っている場合に、移動局ＵＥ宛てにＣＳサービスの着信があった場合には、以下のように動作する。
【００２７】
第１に、ＬＴＥ方式の交換局ＭＭＥが、配下のエリアＴＡに対して、移動局ＵＥ宛てにＣＳサービスの着信があったことを通知するページング信号を送信する。
【００２８】
第２に、移動局ＵＥが、ＷＣＤＭＡ方式の交換局ＭＳＣ配下のエリアＲＡにおいて、かかるページング信号に応答する。
【００２９】
第３に、ＷＣＤＭＡ方式の交換局ＭＳＣが、配下のエリアＲＡにおいて、移動局ＵＥに対して、ＣＳサービスを提供する。
【００３０】
図２に示すように、本実施形態に係る移動局ＵＥは、位置登録エリア管理部１１と、位置登録要否情報管理部１２と、位置登録処理部１３とを具備している。
【００３１】
位置登録エリア管理部１１は、移動局ＵＥによって位置登録処理が行われているエリアを示す「位置登録エリア」を管理するように構成されている。
【００３２】
例えば、位置登録エリア管理部１１は、ＬＴＥ方式の交換局ＭＭＥ配下のエリア（第１通信方式の交換局配下の第１エリア）内の位置登録エリア（第１位置登録エリア）として、エリアＴＡ＃２を管理してもよい。
【００３３】
また、位置登録エリア管理部１１は、ＷＣＤＭＡ方式の交換局ＳＧＳＮ配下のエリア（第２通信方式のパケット交換用交換局配下の第２パケット交換用エリア）内の位置登録エリア（第２位置登録エリア）として、エリアＲＡ＃１/ＲＡ＃２を管理してもよいし、ＷＣＤＭＡ方式の交換局ＭＳＣ配下のエリア（第２通信方式の回線交換用交換局配下の第２回線交換用エリア）における位置登録エリア（第２位置登録エリア）として、エリアＬＡ＃１/ＬＡ＃２を管理してもよい。
【００３４】
位置登録要否情報管理部１２は、ＬＴＥ方式の交換局ＭＭＥやＷＣＤＭＡ方式の交換局ＳＧＳＮやＷＣＤＭＡ方式の交換局ＭＳＣから受信した「ＩＳＲ  ａｃｔｉｖｅ」に基づいて、位置登録要否情報を管理するように構成されている。
【００３５】
ここで、位置登録要否情報は、位置登録エリア管理部１１によって第１位置登録エリアが管理されている場合で、かつ、待ち受けを行うエリアを第１位置登録エリアに切り替える場合に、第１位置登録エリアに対する位置登録処理を行う必要があるか否かについて示す情報である。
【００３６】
例えば、位置登録要否情報管理部１２は、ＬＴＥ方式の交換局ＭＭＥから受信した「Ａｔｔａｃｈ  Ａｃｃｅｐｔ」や「ＴＡＵ  Ｒｅｓｐｏｎｓｅ」等に、エリアＴＡ＃２（第１位置登録エリア）においてＩＳＲが適用されていることを示す「ＩＳＲ  ａｃｔｉｖｅ」が含まれていた場合には、待ち受けを行うエリアをエリアＴＡ＃２に切り替える場合にエリアＴＡ＃２に対する位置登録処理を行う必要がないことを示す位置登録要否情報を管理するように構成されている。
【００３７】
一方、位置登録要否情報管理部１２は、ＬＴＥ方式の交換局ＭＭＥから受信した「Ａｔｔａｃｈ  Ａｃｃｅｐｔ」や「ＴＡＵ  Ｒｅｓｐｏｎｓｅ」等に、エリアＴＡ＃２（第１位置登録エリア）においてＩＳＲが適用されていることを示す「ＩＳＲ  ａｃｔｉｖｅ」が含まれていなかった場合には、待ち受けを行うエリアをエリアＴＡ＃２に切り替える場合にエリアＴＡ＃２に対する位置登録処理を行う必要があることを示す位置登録要否情報を管理するように構成されている。
【００３８】
同様に、位置登録要否情報管理部１２は、ＷＣＤＭＡ方式の交換局ＳＧＳＮから受信した「Ａｔｔａｃｈ  Ａｃｃｅｐｔ」や「ＲＡＵ  Ｒｅｓｐｏｎｓｅ」等に、エリアＲＡ＃１（第２位置登録エリア）においてＩＳＲが適用されていることを示す「ＩＳＲ  ａｃｔｉｖｅ」が含まれていた場合には、待ち受けを行うエリアをエリアＲＡ＃１に切り替える場合にエリアＲＡ＃１に対する位置登録処理を行う必要がないことを示す位置登録要否情報を管理するように構成されている。
【００３９】
一方、位置登録要否情報管理部１２は、ＷＣＤＭＡ方式の交換局ＳＧＳＮから受信した「Ａｔｔａｃｈ  Ａｃｃｅｐｔ」や「ＲＡＵ  Ｒｅｓｐｏｎｓｅ」等に、エリアＲＡ＃１（第２位置登録エリア）においてＩＳＲが適用されていることを示す「ＩＳＲ  ａｃｔｉｖｅ」が含まれていなかった場合には、待ち受けを行うエリアをエリアＲＡ＃１に切り替える場合にエリアＲＡ＃１に対する位置登録処理を行う必要があることを示す位置登録要否情報を管理するように構成されている。
【００４０】
また、位置登録要否情報管理部１２は、ＷＣＤＭＡ方式の交換局ＭＳＣから受信した「Ａｔｔａｃｈ  Ａｃｃｅｐｔ」や「ＬＡＵ  Ｒｅｓｐｏｎｓｅ」等に、エリアＬＡ＃１（第２位置登録エリア）においてＩＳＲが適用されていることを示す「ＩＳＲ  ａｃｔｉｖｅ」が含まれていた場合には、待ち受けを行うエリアをエリアＬＡ＃１に切り替える場合にエリアＬＡ＃１に対する位置登録処理を行う必要がないことを示す位置登録要否情報を管理するように構成されている。
【００４１】
一方、位置登録要否情報管理部１２は、ＷＣＤＭＡ方式の交換局ＭＳＣから受信した「Ａｔｔａｃｈ  Ａｃｃｅｐｔ」や「ＬＡＵ  Ｒｅｓｐｏｎｓｅ」等に、エリアＬＡ＃１（第２位置登録エリア）においてＩＳＲが適用されていることを示す「ＩＳＲ  ａｃｔｉｖｅ」が含まれていなかった場合には、待ち受けを行うエリアをエリアＬＡ＃１に切り替える場合にエリアＬＡ＃１に対する位置登録処理を行う必要があることを示す位置登録要否情報を管理するように構成されている。
【００４２】
位置登録処理部１３は、ＬＴＥ方式の交換局ＭＭＥ配下のエリアＴＡやＷＣＤＭＡ方式の交換局ＳＧＳＮ配下のエリアＲＡやＷＣＤＭＡ方式の交換局ＭＳＣ配下のエリアＬＡに対する位置登録処理を行うことができるように構成されている。
【００４３】
具体的には、位置登録処理部１３は、ＬＴＥ方式の交換局ＭＭＥに対して、「Ａｔｔａｃｈ（ＣＳＦＢ用）」や「ＴＡＵ」等を送信することによって、ＬＴＥ方式の交換局ＭＭＥ配下のエリアＴＡに対する位置登録処理を行うように構成されている。
【００４４】
また、位置登録処理部１３は、ＷＣＤＭＡ方式の交換局ＳＧＳＮに対して、「Ａｔｔａｃｈ（Ｃｏｍｂｉｎｅｄ）」や「ＲＡＵ」や「Ｃｏｍｂｉｎｅｄ  Ｕｐｄａｔｅ」等を送信することによって、ＷＣＤＭＡ方式の交換局ＳＧＳＮ配下のエリアＲＡに対する位置登録処理を行うように構成されている。
【００４５】
さらに、位置登録処理部１３は、ＷＣＤＭＡ方式の交換局ＭＳＣに対して、「Ａｔｔａｃｈ（Ｃｏｍｂｉｎｅｄ）」や「ＬＡＵ」や「Ｃｏｍｂｉｎｅｄ  Ｕｐｄａｔｅ」等を送信することによって、ＷＣＤＭＡ方式の交換局ＭＳＣ配下のエリアＲＡに対する位置登録処理を行うように構成されている。
【００４６】
なお、位置登録処理部１３は、待ち受けを行うエリアを切り替える場合に、位置登録エリア管理部１１によって管理されている位置登録エリア及び位置登録要否情報管理部１２によって管理されている位置登録要否情報に基づいて、切り替え先エリアに対する位置登録処理を行うか否かについて決定するように構成されている。
【００４７】
具体的には、位置登録処理部１３は、位置登録エリア管理部１１によって第１位置登録エリアとしてエリアＴＡ＃２が管理されている場合で、かつ、待ち受けを行うエリアをエリアＴＡ＃２に切り替える場合に、位置登録要否情報によってエリアＴＡ＃２に対する位置登録処理を行う必要が無いと示されている場合であっても、すなわち、エリアＴＡ＃２においてＩＳＲが適用されている場合であっても、第２位置登録エリアが所定条件を満たしている場合には、エリアＴＡ＃２に対する位置登録処理を行うように構成されている。
【００４８】
ここで、位置登録処理部１３は、待ち受けを行うエリアが、エリアＴＡ＃２（第１位置登録エリア）からエリアＬＡ＃１/ＲＡ＃１（第２位置登録エリア）に切り替わった場合に、位置登録エリア管理部１１によって管理されている位置登録エリアのうち、エリアＬＡ（第２回線交換用エリア）内の位置登録エリアが変更になり（例えば、エリアＬＡ＃２→エリアＬＡ＃１）、エリアＲＡ（第２パケット交換用エリア）内の位置登録エリアが変更にならなかった（例えば、エリアＲＡ＃１のままである）場合に、第２位置登録エリアが所定条件を満たしていると判定するように構成されている。
【００４９】
すなわち、かかる場合、位置登録処理部１３は、位置登録要否情報管理部１２によって管理されている位置登録要否情報に従うことなく、待ち受けエリアをエリアＴＡ＃２に切り替える際に、エリアＴＡ＃２に対する位置登録処理を行うように構成されている。
【００５０】
（本発明の第１の実施形態に係る移動通信システムの動作）
図３乃至図１３を参照して、本発明の第１の実施形態に係る移動通信システムの動作について説明する。
【００５１】
図３に示すように、移動局ＵＥは、ＷＣＤＭＡ方式の交換局ＳＧＳＮ＃１配下のエリアＲＡ＃１において、交換局ＳＧＳＮ＃１に対して、「Ａｔｔａｃｈ（Ｃｏｍｂｉｎｅｄ）」を送信することによって、ＷＣＤＭＡ方式の交換局ＭＳＣ＃１配下のエリアＬＡ＃１及びＷＣＤＭＡ方式の交換局ＳＧＳＮ＃１配下のエリアＲＡ＃１に対する位置登録処理を行う（ステップＳ１）。
【００５２】
その後、移動局ＵＥは、エリアＬＡ＃１及びエリアＲＡ＃１に対する位置登録処理が成功した旨を示す「Ａｔｔａｃｈ  Ａｃｃｅｐｔ」を受信する。なお、「Ａｔｔａｃｈ  Ａｃｃｅｐｔ」には、エリアＬＡ＃１及びエリアＲＡ＃１においてＩＳＲが適用されていることを示す「ＩＳＲ  ａｃｔｉｖｅ」が含まれている。
【００５３】
ここで、交換局ＳＧＳＮ＃１及び移動局ＵＥにおいて、交換局ＳＧＳＮ配下のエリアＲＡ内の移動局ＵＥの位置登録エリア（第２位置登録エリア）ＲＡ＃１を含む「ＧＭＭ  ｃｏｎｔｅｘｔ」が生成されて記憶される。
【００５４】
また、交換局ＭＳＣ＃１及び移動局ＵＥにおいて、交換局ＭＳＣ配下のエリアＬＡ内の移動局ＵＥの位置登録エリア（第２位置登録エリア）ＬＡ＃１を含む「ＭＭ  ｃｏｎｔｅｘｔ」が生成されて記憶される。
【００５５】
この結果、交換局ＭＳＣ＃１と交換局ＳＧＳＮ＃１との間で、移動局ＵＥ用のコネクションＧｓが確立される。
【００５６】
その後、図４に示すように、移動局ＵＥは、待ち受けを行うエリアを、エリアＬＡ＃１及びエリアＲＡ＃１からＬＴＥ方式の交換局ＭＭＥ＃１配下のエリアＴＡ＃２に切り替える場合、交換局ＭＭＥ＃１に対して、「Ａｔｔａｃｈ（ＣＳＦＢ用）」を送信することによって、交換局ＭＭＥ＃１配下のエリアＴＡ＃２及びＷＣＤＭＡ方式の交換局ＭＳＣ＃２配下のエリアＬＡ＃２に対する位置登録処理を行う（ステップＳ２）。
【００５７】
具体的には、交換局ＭＭＥ＃１は、ＬＴＥ方式の交換局ＭＭＥ配下のエリアＴＡ＃２とＷＣＤＭＡ方式の交換局ＭＳＣ配下のエリアＬＡ＃２とを関連付けて管理しており、エリアＴＡ＃２に対する位置登録信号である「Ａｔｔａｃｈ（ＣＳＦＢ用）」を受信した場合、エリアＴＡ＃２に関連付けられているエリアＬＡ＃２を管理する交換局ＭＳＣ＃２に対して、「Ｌｏｃａｔｉｏｎ  Ｕｐｄａｔｅ」を送信することによって、移動局ＵＥのエリアＬＡ＃２に対する位置登録処理を行う。
【００５８】
その後、移動局ＵＥは、エリアＴＡ＃２及びエリアＬＡ＃２に対する位置登録処理が成功した旨を示す「Ａｔｔａｃｈ  Ａｃｃｅｐｔ」を受信する。なお、「Ａｔｔａｃｈ  Ａｃｃｅｐｔ」には、エリアＴＡ＃１及びエリアＬＡ＃２においてＩＳＲが適用されていることを示す「ＩＳＲ  ａｃｔｉｖｅ」が含まれている。
【００５９】
ここで、交換局ＭＭＥ＃１及び移動局ＵＥにおいて、交換局ＭＭＥ配下のエリアＴＡ内の移動局ＵＥの位置登録エリア（第１位置登録エリア）ＴＡ＃２が属するＴＡリスト＃１を含む「ＥＭＭ  ｃｏｎｔｅｘｔ」が生成されて記憶される。
【００６０】
また、交換局ＭＳＣ＃２において、交換局ＭＳＣ配下のエリアＬＡ内の移動局ＵＥの位置登録エリア（第２位置登録エリア）ＬＡ＃２を含む「ＭＭ  ｃｏｎｔｅｘｔ」が生成されて記憶される。なお、移動局ＵＥでは、移動局ＵＥの第２位置登録エリアＬＡ＃２を含む「ＭＭ  ｃｏｎｔｅｘｔ」によって、移動局ＵＥの第２位置登録エリアＬＡ＃１を含む「ＭＭ  ｃｏｎｔｅｘｔ」が上書きされる。
【００６１】
この結果、交換局ＭＳＣ＃２と交換局ＭＭＥ＃１との間で、移動局ＵＥ用のコネクションＳＧｓが確立される。
【００６２】
その後、図５に示すように、加入者情報管理サーバＨＳＳが、交換局ＭＳＣ＃１に対して「Ｃａｎｃｅｌ  Ｌｏｃａｔｉｏｎ」を送信することによって、交換局ＭＳＣ＃１と交換局ＳＧＳＮ＃１との間で確立されていた移動局ＵＥ用のコネクションＧｓが削除され、交換局ＭＳＣ＃１において記憶されていた移動局ＵＥ用の「ＭＭ  ｃｏｎｔｅｘｔ」が削除される（ステップＳ３）。
【００６３】
ただし、かかる段階では、移動局ＵＥは、交換局ＳＧＳＮ＃１配下のエリアＲＡ＃１を、第２パケット交換用エリア内の位置登録エリアとして管理しているため、交換局ＳＧＳＮ＃１において記憶されていた移動局ＵＥ用の「ＧＭＭ  ｃｏｎｔｅｘｔ」は削除されない。
【００６４】
かかる場合、図６に示すように、移動局ＵＥ宛てのＣＳサービス用の着信があった場合には、交換局ＭＳＣ＃２が、移動局ＵＥ宛てのページング信号を送信し、移動局ＵＥ宛てのＰＳ（Ｐａｃｋｅｔ  Ｓｗｉｔｃｈ）サービス用の着信があった場合には、交換局ＭＭＥ＃１が、移動局ＵＥ宛てのページング信号を送信する（ステップＳ４）。
【００６５】
その後、図７に示すように、移動局ＵＥは、待ち受けを行うエリアを、エリアＴＡ＃２からエリアＬＡ＃１/ＲＡ＃１に切り替えた場合、移動局ＵＥによって記憶されている「ＭＭ  Ｃｏｎｅｔｅｘｔ」に含まれる第２位置登録エリアＬＡ＃２と、切り替え先のエリアＬＡ＃１とが異なることを検知する（ステップＳ５）。
【００６６】
その結果、図８に示すように、移動局ＵＥは、エリアＲＡ＃１において、交換局ＳＧＳＮ＃１に対して、「Ｃｏｍｂｉｎｅｄ  Ｕｐｄａｔｅ」を送信することによって、エリアＬＡ＃１及びエリアＲＡ＃１に対する位置登録処理を行う（ステップＳ６）。
【００６７】
なお、ステップＳ６において、移動局ＵＥは、エリアＲＡ＃１において、交換局ＭＳＣ＃１に対して、「ＬＡＵ」を送信することによって、エリアＬＡ＃１のみに対する位置登録処理を行ってもよい。
【００６８】
ここで、交換局ＭＳＣ＃２において、移動局ＵＥの第２位置登録エリアＬＡ＃１を含む「ＭＭ  ｃｏｎｔｅｘｔ」が生成されて記憶される。なお、移動局ＵＥでは、移動局ＵＥの第２位置登録エリアＬＡ＃１を含む「ＭＭ  ｃｏｎｔｅｘｔ」によって、移動局ＵＥの第２位置登録エリアＬＡ＃２を含む「ＭＭ  ｃｏｎｔｅｘｔ」が上書きされる。
【００６９】
この結果、交換局ＭＳＣ＃１と交換局ＳＧＳＮ＃１との間で、移動局ＵＥ用のコネクションＧｓが再度確立される。
【００７０】
図９に示すように、加入者情報管理サーバＨＳＳが、交換局ＭＳＣ＃２に対して「Ｃａｎｃｅｌ  Ｌｏｃａｔｉｏｎ」を送信することによって、交換局ＭＳＣ＃２と交換局ＭＭＥ＃１との間で確立されていた移動局ＵＥ用のコネクションＳＧｓが削除され、交換局ＭＳＣ＃２において記憶されていた移動局ＵＥ用の「ＭＭ  ｃｏｎｔｅｘｔ」が削除される（ステップＳ７）。
【００７１】
ただし、かかる段階では、移動局ＵＥは、交換局ＭＭＥ＃１配下のエリアＴＡ＃２を、第１位置登録エリアとして管理しているため、交換局ＭＭＥ＃１において記憶されていた移動局ＵＥ用の「ＥＭＭ  ｃｏｎｔｅｘｔ」は削除されない。
【００７２】
かかる場合、図１０に示すように、移動局ＵＥ宛てのＣＳサービス用の着信があった場合には、交換局ＭＳＣ＃１が、移動局ＵＥ宛てのページング信号を送信し、移動局ＵＥ宛てのＰＳサービス用の着信があった場合には、交換局ＳＧＳＮ＃１が、移動局ＵＥ宛てのページング信号を送信する（ステップＳ８）。
【００７３】
図１１に示すように、待ち受けエリアが、エリアＬＡ＃１/ＬＡ＃２からエリアＴＡ＃２に切り替えられた場合、エリアＴＡ２においてＩＳＲが適用されており、移動局ＵＥの第１位置登録エリアとしてエリアＴＡ＃２を含むＴＡリスト＃１が管理されているため、一般的には、移動局ＵＥは、エリアＴＡ＃２に対する位置登録処理を行わないと想定される（ステップＳ９）。
【００７４】
その結果、図１２に示すように、移動局ＵＥ宛てのＰＳサービス用の着信があった場合には、交換局ＭＭＥ＃１が、移動局ＵＥ宛てのページング信号を送信するため、移動局ＵＥは、かかるページング信号を受信ことができるが、移動局ＵＥ宛てのＣＳサービス用の着信があった場合には、交換局ＭＳＣ＃１が、移動局ＵＥ宛てのページング信号を送信すると考えられるため、ＴＡ＃２で待ち受けを行っている移動局ＵＥは、かかるページング信号を受信することができない（ステップＳ１０）。
【００７５】
したがって、ステップＳ６において、待ち受けを行うエリアがエリアＴＡ＃２（第１位置登録エリア）からエリアＬＡ＃１/ＲＡ＃１（第２位置登録エリア）に切り替わった際に、第２位置登録エリアのうち、第２回線交換用エリア内の位置登録エリアがエリアＬＡ＃２からエリアＬＡ＃１に変更になり、第２パケット交換用エリア内の位置登録エリアがエリアＲＡ＃１のままで変更にならなかった場合には、エリアＴＡ＃２においてＩＳＲが適用されている場合であっても、図１３に示すように、移動局ＵＥは、待ち受けを行うエリアを、エリアＬＡ＃１及びエリアＲＡ＃１からエリアＴＡ＃２に切り替える際に、交換局ＭＭＥ＃１に対して、「ＴＡＵ」を送信することによって、エリアＴＡ＃２及びエリアＬＡ＃２に対する位置登録処理を行う（ステップＳ９ａ）。
【００７６】
また、交換局ＭＳＣ＃２において、移動局ＵＥの第２位置登録エリアＬＡ＃２を含む「ＭＭ  ｃｏｎｔｅｘｔ」が生成されて記憶される。なお、移動局ＵＥでは、移動局ＵＥの第２位置登録エリアＬＡ＃２を含む「ＭＭ  ｃｏｎｔｅｘｔ」によって、移動局ＵＥの第２位置登録エリアＬＡ＃１を含む「ＭＭ  ｃｏｎｔｅｘｔ」が上書きされる。
【００７７】
この結果、交換局ＭＳＣ＃２と交換局ＭＭＥ＃１との間で、移動局ＵＥ用のコネクションＳＧｓが再度確立される。
【００７８】
（本発明の第１の実施形態に係る移動通信システムの作用・効果）
本発明の第１の実施形態に係る移動通信システムによれば、エリアＴＡ＃２においてＩＳＲが適用されている場合であっても、待ち受けを行うエリアがエリアＴＡ＃２からエリアＬＡ＃１/ＲＡ＃１に切り替わった際に、第２位置登録エリアのうち、第２回線交換用エリア内の位置登録エリアがエリアＬＡ＃２からエリアＬＡ＃１に変更になり、第２パケット交換用エリア内の位置登録エリアがエリアＲＡ＃１のままで変更にならなかった場合には、移動局ＵＥは、待ち受けを行うエリアを、エリアＬＡ＃１及びエリアＲＡ＃１からエリアＴＡ＃２に切り替える際に、エリアＴＡ＃２及びエリアＬＡ＃２に対する位置登録処理を行うように構成されているため、ＩＳＲが適用されている移動通信システムにおいて、ＬＴＥ方式の交換局ＭＭＥ配下のエリアを跨ぐ移動を行わない場合であっても、ＬＴＥ方式の交換局ＭＭＥ＃１及びＷＣＤＭＡ方式の交換局ＭＳＣ＃１によって管理される移動局ＵＥの第２位置登録エリアの間に生じた不一致を解消することができる。
【００７９】
なお、上述の移動局ＵＥや交換局ＭＭＥ/ＳＧＳＮ/ＭＳＣの動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（ＲａｎｄｏＭＳＣｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや交換局ＭＭＥ/ＳＧＳＮ/ＭＳＣ内に設けられていてもよい。また、かかる記憶媒体及びプロセッサは、ディスクリートコンポーネントとして移動局ＵＥや交換局ＭＭＥ/ＳＧＳＮ/ＭＳＣ内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８３】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を説明するための図である。
【図４】本発明の第１の実施形態に係る移動通信システムの動作を説明するための図である。
【図５】本発明の第１の実施形態に係る移動通信システムの動作を説明するための図である。
【図６】本発明の第１の実施形態に係る移動通信システムの動作を説明するための図である。
【図７】本発明の第１の実施形態に係る移動通信システムの動作を説明するための図である。
【図８】本発明の第１の実施形態に係る移動通信システムの動作を説明するための図である。
【図９】本発明の第１の実施形態に係る移動通信システムの動作を説明するための図である。
【図１０】本発明の第１の実施形態に係る移動通信システムの動作を説明するための図である。
【図１１】本発明の第１の実施形態に係る移動通信システムの動作を説明するための図である。
【図１２】本発明の第１の実施形態に係る移動通信システムの動作を説明するための図である。
【図１３】本発明の第１の実施形態に係る移動通信システムの動作を説明するための図である。
【図１４】ＩＳＲが適用されている移動通信システムの動作を説明するための図である。
【符号の説明】
【００８４】
ＨＳＳ…加入者情報管理サーバ
ＭＭＥ/ＳＧＳＮ/ＭＳＣ…交換局
ＵＥ…移動局
１１…位置登録エリア管理部
１２…位置登録要否情報管理部
１３…位置登録処理部
【図１】
2010093455.tif 000003
【図２】
2010093455.tif 000004
【図３】
2010093455.tif 000005
【図４】
2010093455.tif 000006
【図５】
2010093455.tif 000007
【図６】
2010093455.tif 000008
【図７】
2010093455.tif 000009
【図８】
2010093455.tif 000010
【図９】
2010093455.tif 000011
【図１０】
2010093455.tif 000012
【図１１】
2010093455.tif 000013
【図１２】
2010093455.tif 000014
【図１３】
2010093455.tif 000015
【図１４】
2010093455.tif 000016